(57)【要約】
【課題】衣類等の丈の違いや掛ける枚数に柔軟に対応して、嵩張らず、収納効率を高める。
【解決手段】全体を支える基台部２２と、基台部２２に支持された２つの支柱２３，２４と、各支柱２３，２４に支持された天棒２５とを備えたパイプハンガー２１である。基台部２２と１の支柱２３，２４とに取り付けられてパイプハンガー２１の下側の角に設け、丈の短い衣類等を掛けるための空間を形成する小枠体部２６を設けた。小枠体部２６は、天棒２５と１の支柱２３，２４とに取り付けられてパイプハンガー２１の上側の角に設けてもよい。基台部２２、支柱２３．２４、天棒２５、小枠体部２６の垂直管部３１及び水平管部３２は、パイプ継ぎ手２２Ｄ，２３Ｄ，２４Ｄ，３３，３４で互いに連結した。
【選択図】図１
0003100766.tif 000002
【実用新案登録請求の範囲】
【請求項１】
全体を支える基台部と、この基台部に支持された２つの支柱と、この各支柱に支持された天棒とを備えたパイプハンガーにおいて、
上記基台部と１の上記支柱とに取り付けられて丈の短い衣類等を掛けるための空間を形成する小枠体部が設けられたことを特徴とするパイプハンガー。
【請求項２】
全体を支える基台部と、この基台部に支持された２つの支柱と、この各支柱に支持された天棒とを備えたパイプハンガーにおいて、
上記天棒と１の上記支柱とに取り付けられて丈の短い衣類等を掛けるための空間を形成する小枠体部が設けられたことを特徴とするパイプハンガー。
【請求項３】
請求項１又は２に記載のパイプハンガーにおいて、
上記基台部、支柱及び天棒が、パイプ継ぎ手で互いに連結されたことを特徴とするパイプハンガー。
【請求項４】
請求項１又は３に記載のパイプハンガーにおいて、
上記小枠体部が、垂直管部と水平管部とパイプ継ぎ手とからなり、
上記パイプ継ぎ手が、上記基台部と上記垂直管部、上記垂直管部と上記水平管部及び上記水平管部と上記支柱を互いに連結することを特徴とするパイプハンガー。
【請求項５】
請求項２又は３に記載のパイプハンガーにおいて、
上記小枠体部が、垂直管部と水平管部とパイプ継ぎ手とからなり、
上記パイプ継ぎ手が、上記天棒と上記垂直管部、上記垂直管部と上記水平管部及び上記水平管部と上記支柱を互いに連結することを特徴とするパイプハンガー。
【請求項６】
請求項４又は５に記載のパイプハンガーにおいて、
上記小枠体部の垂直管部又は水平管部の一方又は両方が、掛ける衣類等の枚数や丈に合わせて伸縮自在に構成されたことを特徴とするパイプハンガー。
【請求項７】
請求項４又は５に記載のパイプハンガーにおいて、
上記小枠体部の垂直管部及び水平管部として長さの異なる複数の管材が予め用意され、掛ける衣類等の枚数及び丈に合わせた長さの管材を適宜選択して上記小枠体部を構成することを特徴とするパイプハンガー。
【請求項８】
請求項１ないし７のいずれか１項に記載のパイプハンガーにおいて、
上記各支柱が伸縮自在に構成されたことを特徴とするパイプハンガー。
【請求項９】
請求項１ないし８のいずれか１項に記載のパイプハンガーにおいて、
上記基台部及び天棒が伸縮自在に構成されたことを特徴とするパイプハンガー。
【考案の詳細な説明】
【技術分野】
【０００１】
この考案は、衣類等を掛けるパイプハンガーに関するものである。
【背景技術】
【０００２】
パイプハンガーとしては、図２及び図３に示すようなものが一般に知られている。
【０００３】
図２（特許文献１）に示すパイプハンガー１は、基台部２と、支柱３，４と、固定天棒５と、可動天棒６とから構成されている。
【０００４】
基台部２は、パイプハンガー１全体を支えるための部材である。支柱３，４は、固定天棒５及び可動天棒６を支持するための部材である。支柱３，４は、その下端部が基台部２にそれぞれ支持されて、垂直に配設されている。支柱３，４は、外側管部３Ａ，４Ａと、この外側管部３Ａ，４Ａ内に出没可能に収納された内側管部（図示せず）と、この内側管部が外側管部３Ａ，４Ａに対して任意の位置に出没した状態でこれらを互いに固定する固定手段３Ｂ，４Ｂとから構成されている。
【０００５】
固定天棒５は、各支柱３，４の外側管部３Ａ，４Ａの上端に掛け渡して取り付けられている。可動天棒６は、各支柱３，４の内側管部の上端に掛け渡して取り付けられている。可動天棒６は、その両端部６Ａ，６Ｂが伸縮自在に構成されており、両端部６Ａ，６Ｂを延ばすことで、丈の長い衣類等を掛けることができるようになっている。
【０００６】
以上の構成により、通常は内側管部が外側管部３Ａ，４Ａ内に収納され、図２の状態になっている。そして、衣類等を掛けた衣類用ハンガー（図示せず）が固定天棒５等に掛けられる。
【０００７】
丈の短い衣類等を多数掛ける場合は、支柱３，４の内側管部を外側管部３Ａ，４Ａから引き出して可動天棒６を上方へずらして固定手段３Ｂ，４Ｂで内側管部と外側管部３Ａ，４Ａとを互いに固定し、固定天棒５との間に衣類等を掛ける空間を作る。そして、丈の短い衣類等を掛けた衣類用ハンガーを固定天棒５と可動天棒６とにそれぞれ掛ける。丈の長い衣類等を掛ける場合は、可動天棒６の両端部６Ａ，６Ｂを延ばし、その部分に掛ける。
【０００８】
図３（特許文献２）に示すパイプハンガー１１は、基台部１２と、支柱１３，１４，１５と、天井部１６と、中間横棒部１７とから構成されている。
【０００９】
基台部１２は、パイプハンガー１１全体を支えるための部材である。基台部１２は、支持棒部１２Ａと、連接棒部１２Ｂ等を備えて構成されている。
【００１０】
支柱１３，１４，１５は、天井部１６を支持するための部材である。両側の支柱１３，１４は、その下端部が基台部１２の支持棒部１２Ａにそれぞれ支持されて、垂直に配設されている。中間の支柱１５は、連接棒部１２Ｂに支持されて、垂直に配設されている。中間の支柱１５と一方の支柱１４との間では、中間横棒部１７も支持している。
【００１１】
中間横棒部１７は、丈の短い衣類等を掛けるための部材である。中間横棒部１７は、支柱１４，１５の間に取り付けられている。この中間横棒部１７と、支柱１４，１５とで、丈の短い衣類等を掛ける空間が、上下２段に形成されている。
【００１２】
天井部１６は、支柱１３，１４，１５の上端部に連結して、カバー（図示せず）を支持するための部材である。天井部１６は、天棒１８と、カバー支持枠１９とから構成されている。
【００１３】
以上の構成により、パイプハンガー１１にカバーが被せられ、丈の長い衣類等は天棒１８に掛けた状態で、支柱１３，１５の間に収納される。丈の短い衣類等は、支柱１４，１５の間において、中間横棒部１７と天棒１８とにそれぞれ掛けて収納される。
【特許文献１】意匠登録第７７３５８８号公報
【特許文献２】意匠登録第１１０１２５３号公報
【考案の開示】
【考案が解決しようとする課題】
【００１４】
しかしながら、上述した構成のパイプハンガーでは、次のような問題がある。
【００１５】
図２に示すパイプハンガー１の場合は、丈の短い衣類等を掛けるときに便利であるが、丈の長い衣類等を掛ける場合は、幅が問題になる。丈の長い衣類等は、可動天棒６の両端部６Ａ，６Ｂを左右に延ばしてその延出部分に掛けることになるが、この場合、丈の長い衣類等を掛ける場合と掛けない場合とでパイプハンガー１の幅が変動するため、設置部分のスペースをそれに合わせて予め余裕を持たせなければならない。このため、結果的に嵩張ったものとなり、設置場所の選択の自由度が低くなるという問題がある。
【００１６】
また、図３に示すパイプハンガーの場合は、丈の長い衣類等も短い衣類等も掛けることができるが、丈の長い衣類等のためのスペースと短い衣類等のためのスペースとを必要に応じて調整することはできない。このため、丈の短い衣類等しかない場合には、丈の長い衣類等のためのスペースは無駄になる。この結果、丈の短い衣類等だけを掛ける場合は、それ専用のパイプハンガーに比べて嵩張るという問題がある。
【００１７】
さらに、衣類等の丈は様々でバラツキがあり、特に、丈の長い衣類等の場合は、ロングコートとハーフコート等のようにバラツキが大きくなる。丈の長い衣類等のためのスペースを、ロングコート等の長い方の衣類等の丈に合わせて設定すると、ハーフコート等の比較的丈の短い衣類等しかない場合に、下部の余った空間が無駄になると共に、それ専用のパイプハンガーに比べて嵩張るという問題がある。
【００１８】
また、図３に示すパイプハンガー１１を構成する縦横の管材は、穴を空けてネジで固定する構成となっているため、組み立て時に、ネジを１つ１つ締めなければならず、組み立て作業が煩雑であるという問題がある。
【００１９】
また、図３に示すパイプハンガー１１は、その中央付近が支柱１５によって縦方向に仕切られているため、天棒１８に掛けた衣類等を支柱１５からはみ出させることができない。このため、天棒１８に掛けられる衣類用ハンガーの数に制限されてしまう。即ち、衣類用ハンガーの部分は下部の衣類等だけの部分よりも厚みがあるため、丈の長い衣類用スペースに収納できる衣類等の枚数は、衣類等自体の厚さではなく、衣類用ハンガーの厚さによって制限されてしまうという問題がある。
【００２０】
本考案は、上述の点に鑑みてなされたもので、衣類等の丈の違いや掛ける枚数に柔軟に対応して、嵩張らず、収納効率を高めたパイプハンガーを提供することを目的とする。
【課題を解決するための手段】
【００２１】
前述した課題を解決するために第１の考案に係るパイプハンガーは、全体を支える基台部と、この基台部に支持された２つの支柱と、この各支柱に支持された天棒とを備えたパイプハンガーにおいて、上記基台部と１の上記支柱とに取り付けられて丈の短い衣類等を掛けるための空間を形成する小枠体部が設けられたことを特徴とする。
【００２２】
上記構成により、小枠体部に丈の短い衣類等が掛けられ、他の部分に丈の長い衣類等が掛けられる。このとき、小枠体部は、パイプハンガーの下側の角に設けられ、パイプハンガーの中央部分を仕切らないので、自由度が増す。丈の長い衣類等の場合は、その上端部が天棒に掛けられた状態で下部が小枠体部と支柱との間に垂れ下がるが、通常、衣類等だけの部分よりも衣類用ハンガーの部分の方が厚いので、多数の衣類等が掛けられると、その上部が嵩張ってしまう。即ち、衣類用ハンガーの部分はその厚みのために小枠体部の上部にまではみ出してしまうが、衣類等自体は小枠体部と支柱との間に無理なく納まってしまう。このとき、パイプハンガーの中央部分は仕切られていないため、衣類用ハンガーの部分の小枠体部の上部へのはみ出しが許容され、衣類用ハンガーの厚さに左右されず、衣類等を掛けることができる。即ち、小枠体部と支柱との間に入る衣類等自体の枚数まで掛けることができる。
【００２３】
第２の考案に係るパイプハンガーは、全体を支える基台部と、この基台部に支持された２つの支柱と、この各支柱に支持された天棒とを備えたパイプハンガーにおいて、上記天棒と１の上記支柱とに取り付けられて丈の短い衣類等を掛けるための空間を形成する小枠体部が設けられたことを特徴とする。
【００２４】
上記構成により、小枠体部に丈の短い衣類等が掛けられ、他の部分に種々の衣類等が掛けられる。このとき、小枠体部は、天棒につり下げる状態で設けられるので、丈の短い衣類等を目線の高さに掛けることができ、衣類等の認識、選択が容易になる。
【００２５】
さらに、上部よりも下部の方が厚い衣類等（例えば、フリル等の装飾が多数付いたフレアースカート等）を多数掛ける場合は、小枠体部の下側で衣類等の厚みを吸収することができる。即ち、天棒に衣類等を多数掛けた状態で、上部では小枠体部と支柱との間にまだ余裕があり、下部では衣類等の厚さが小枠体部と支柱との間隔よりも厚くなった場合は、衣類等は小枠体部の下側へはみ出して、その衣類等の厚みが吸収される。これにより、中央部分の仕切りで制限されずに多数の衣類等を掛けることができる。
【００２６】
第３の考案に係るパイプハンガーは、第１又は第２の考案に係るパイプハンガーにおいて、上記基台部、支柱及び天棒が、パイプ継ぎ手で互いに連結されたことを特徴とする。
【００２７】
上記構成により、パイプハンガーの輪郭となる基台部、支柱及び天棒をパイプ継ぎ手で互いに連結することで、パイプハンガーに十分な強度を持たせることができると共に、組み立てが容易になる。
【００２８】
第４の考案に係るパイプハンガーは、第１又は第３の考案に係るパイプハンガーにおいて、上記小枠体部が、垂直管部と水平管部とパイプ継ぎ手とからなり、上記パイプ継ぎ手が、上記基台部と上記垂直管部、上記垂直管部と上記水平管部及び上記水平管部と上記支柱を互いに連結することを特徴とする。
【００２９】
上記構成により、小枠体部の輪郭を構成する基台部と垂直管部、垂直管部と水平管部及び水平管部と支柱をパイプ継ぎ手で互いに連結することで、小枠体部に十分な強度を持たせることができると共に、組み立てが容易になる。
【００３０】
第５の考案に係るパイプハンガーは、第２又は第３の考案に係るパイプハンガーにおいて、上記小枠体部が、垂直管部と水平管部とパイプ継ぎ手とからなり、上記パイプ継ぎ手が、上記天棒と上記垂直管部、上記垂直管部と上記水平管部及び上記水平管部と上記支柱を互いに連結することを特徴とする。
【００３１】
上記構成により、小枠体部の輪郭を構成する天棒と垂直管部、垂直管部と水平管部及び水平管部と支柱をパイプ継ぎ手で互いに連結することで、小枠体部に十分な強度を持たせることができると共に、組み立てが容易になる。
【００３２】
第６の考案に係るパイプハンガーは、第４又は第５の考案に係るパイプハンガーにおいて、上記小枠体部の垂直管部又は水平管部の一方又は両方が、掛ける衣類等の枚数や丈に合わせて伸縮自在に構成されたことを特徴とする。
【００３３】
上記構成により、掛ける衣類等の枚数や丈に合わせて垂直管部又は水平管部の一方又は両方を伸縮させ、小枠体部の大きさを適宜調整する。
【００３４】
第７の考案に係るパイプハンガーは、第４又は第５の考案に係るパイプハンガーにおいて、上記小枠体部の垂直管部及び水平管部として長さの異なる複数の管材が予め用意され、掛ける衣類等の枚数及び丈に合わせた長さの管材を適宜選択して上記小枠体部を構成することを特徴とする。
【００３５】
上記構成により、掛ける衣類等の丈に合わせた長さの垂直管部と、枚数に合わせた長さの水平管部とを選択して小枠体部を構成する。これにより、掛ける衣類等の枚数及び丈に応じて最適寸法の小枠体部を構成することができる。
【００３６】
第８の考案に係るパイプハンガーは、第１ないし７の考案のいずれかに係るパイプハンガーにおいて、上記各支柱が伸縮自在に構成されたことを特徴とする。
【００３７】
上記構成により、掛ける衣類等の枚数及び丈に合わせて、各支柱を伸縮させる。例えば、小枠体部にのみ丈の短い衣類等を掛ける場合は、各支柱を収縮させて天棒を小枠体部の高さまで下げる。小枠体部の上側にも丈の短い衣類等を掛けるための空間を形成する場合及び丈の長い衣類等を掛けるための空間を形成する場合は、各支柱を伸張させて天棒を高い位置に上げる。これにより、小枠体部の上側に丈の短い衣類等を掛けるための空間が形成され、横側に丈の長い衣類等を掛けるための空間が形成される。
【００３８】
第９の考案に係るパイプハンガーは、第１ないし８の考案のいずれかに係るパイプハンガーにおいて、上記基台部及び天棒が伸縮自在に構成されたことを特徴とする。
【００３９】
上記構成により、掛ける衣類等の枚数に応じて、基台部及び天棒を伸縮させる。これにより、掛ける衣類等の枚数に応じて最適な幅のパイプハンガーにすることができる。
【考案の効果】
【００４０】
（１）基台部と１の支柱とに取り付けられて丈の短い衣類等を掛けるための空間を形成する小枠体部を設けたので、この小枠体部はパイプハンガーの下側の角に位置して、パイプハンガーの中央部分を仕切るものがなくなり、自由度が増す。これにより、衣類用ハンガーの厚さに左右されずに、丈の長い衣類等を、小枠体部と支柱との間に入る枚数まで掛けることができる。この結果、衣類等の丈の違いや掛ける枚数に柔軟に対応して、収納効率を高めることができる。
【００４１】
（２）天棒と１の支柱とに取り付けられて丈の短い衣類等を掛けるための空間を形成する小枠体部が設けたので、この小枠体部はパイプハンガーの上側の角に位置して、パイプハンガーの中央部分を仕切るものがなくなり、自由度が増す。これにより、小枠体部に掛けられた丈の短い衣類等は目線の高さに位置するので、衣類等の認識、選択が容易になる。さらに、小枠体部の下側は空いているので、上部よりも下部の方が厚い衣類等を多数掛けることができる。
【００４２】
（３）基台部、支柱及び天棒を、パイプ継ぎ手で互いに連結したので、パイプハンガーに十分な強度を持たせることができると共に、組み立てが容易になる。
【００４３】
（４）小枠体部のパイプ継ぎ手で、基台部と垂直管部、垂直管部と水平管部及び水平管部と支柱を互いに連結するので、小枠体部に十分な強度を持たせることができると共に、組み立てが容易になる。
【００４４】
（５）小枠体部のパイプ継ぎ手で、天棒と垂直管部、垂直管部と水平管部及び水平管部と支柱を互いに連結するので、小枠体部に十分な強度を持たせることができると共に、組み立てが容易になる。
【００４５】
（６）小枠体部の垂直管部又は水平管部の一方又は両方を伸縮自在に構成したので、掛ける衣類等の枚数や丈に合わせて垂直管部又は水平管部の一方又は両方を伸縮させ、小枠体部の大きさを適宜調整することができる。これにより、無駄なスペースを除いて、衣類等の収納のために必要な最小限のスペースを確保することができ、パイプハンガーをコンパクトにすることができる。
【００４６】
（７）小枠体部の垂直管部及び水平管部として長さの異なる複数の管材が予め用意され、掛ける衣類等の枚数及び丈に合わせた長さの管材を適宜選択して上記小枠体部を構成するので、掛ける衣類等の枚数及び丈に応じて最適寸法の小枠体部を構成することができる。これにより、無駄なスペースを除いて、衣類等の収納のために必要な最小限のスペースを確保することができ、パイプハンガーをコンパクトにすることができる。
【００４７】
（８）各支柱を伸縮自在に構成し、掛ける衣類等の枚数及び丈に合わせて各支柱を伸縮させるので、無駄なスペースを除いて、衣類等の収納のために必要な最小限のスペースを確保することができ、パイプハンガーをコンパクトにすることができる。
【００４８】
（９）基台部及び天棒が伸縮自在に構成し、掛ける衣類等の枚数に応じて基台部及び天棒を伸縮させるので、掛ける衣類等の枚数に応じて最適な幅のパイプハンガーにすることができ、無駄なスペースを除いて、パイプハンガーをコンパクトにすることができる。
【考案を実施するための最良の形態】
【００４９】
以下、本考案に係るパイプハンガーついて図面を参照しながら説明する。なお、図１は本実施形態に係るパイプハンガーを示す正面図、図４は本実施形態に係るパイプハンガーを示す側面図である。
【００５０】
本実施形態のパイプハンガー２１は、基台部２２と、２つの支柱２３，２４と、天棒２５と、小枠体部２６とから構成されている。
【００５１】
基台部２２は、パイプハンガー２１全体を支えるための部材である。基台部２２は、両端部に位置して全体を支持する２つの支持棒部２２Ａと、各支持棒部２２Ａを連接する連接棒部２２Ｂと、各支持棒部２２Ａの下側に取り付けられたキャスター２２Ｃと、各部材を互いに接続するパイプ継ぎ手２２Ｄとから構成されている。連接棒部２２Ｂは、支持棒部２２Ａの中央部に１本設けられている。パイプ継ぎ手２２Ｄは、各接続部の間（支持棒部２２Ａと連接棒部２２Ｂとの間、支持棒部２２Ａと後述する外側管部２３Ａ，２４Ａとの間、連接棒部２２Ｂと後述する垂直管部３１との間）にそれぞれ設けられている。パイプ継ぎ手２２Ｄは、それぞれの部分に応じて、管材でＬ字型及びＴ字型に形成されている。この管材の内径は、各棒部（管部）の外径とほぼ同じ寸法に設定されている。なお、設計に応じて、管材の内径を各棒部（管部）の外径より僅かに小さい寸法、又は僅かに大きい寸法に設定する。堅固に連結させる場合は、管材の内径を各棒部（管部）の外径より僅かに小さい寸法に、連結作業を容易にしたい場合は僅かに大きい寸法に設定する。パイプ継ぎ手２２Ｄに棒部（管部）が挿入された状態で、パイプ継ぎ手２２Ｄと棒部（管部）との間は、必要に応じてネジ（図示せず）で固定される。管材の内径を各棒部（管部）の外径より僅かに小さい寸法にして堅固に連結させる場合は、ネジを設けないこともある。僅かに大きい寸法にする場合、通常はネジで固定する。また、パイプ継ぎ手２２Ｄを構成する管材の厚さは、要求される強度に応じて設定する。これにより、２つの棒部（管部）を、設定角度（９０度）に維持して堅固に支持する。これらの設定は、他の部分のパイプ継ぎ手も同様である。
【００５２】
支柱２３，２４は、天棒２５を支持するための部材である。支柱２３，２４は、外側管部２３Ａ，２４Ａと、この外側管部２３Ａ，２４Ａ内に出没可能に収納された内側管部２３Ｂ，２４Ｂと、内側管部２３Ｂ，２４Ｂが外側管部２３Ａ，２４Ａに対して任意の位置に出没した状態でこれらを互いに固定する固定手段２３Ｃ，２４Ｃとから構成されている。外側管部２３Ａ，２４Ａは、その下端部が基台部２２の支持棒部２２Ａにそれぞれ支持されて、垂直に配設されている。具体的には、支持棒部２２Ａに上方へ向けて配設されたパイプ継ぎ手２２Ｄ内に外側管部２３Ａ，２４Ａの下端部が挿入されて支持されている。
【００５３】
内側管部２３Ｂ，２４Ｂは、外側管部２３Ａ，２４Ａに収納された状態で、その上端部で天棒２５を支持している。これら内側管部２３Ｂ，２４Ｂと天棒２５とは、後述するパイプ継ぎ手２３Ｄ，２４Ｄを介して互いに接続されている。
【００５４】
固定手段２３Ｃ，２４Ｃは、外側管部２３Ａ，２４Ａの上端部に設けられた支持筒２３Ｅ，２４Ｅと、この支持筒２３Ｅ，２４Ｅに取り付けられた蝶ねじ２３Ｆ，２４Ｆとから構成されている。この蝶ねじ２３Ｆ，２４Ｆをねじ込むことで外側管部２３Ａ，２４Ａと内側管部２３Ｂ，２４Ｂとが互いに固定されるようになっている。
【００５５】
天棒２５は、状況に応じて丈の長い衣類等及び丈の短い衣類等を掛けるための部材である。天棒２５は、各支柱２３，２４の内側管部２３Ｂ，２４Ｂの上端に掛け渡して取り付けられている。
【００５６】
天棒２５と各内側管部２３Ｂ，２４Ｂとの間は、パイプ継ぎ手２３Ｄ，２４Ｄで接続されている。このパイプ継ぎ手２３Ｄ，２４Ｄは、天棒２５の左右の端部に嵌合する水平筒部２７と、内側管部２３Ｂ，２４Ｂの上端部に嵌合する垂直筒部２８とから構成されている。水平筒部２７の先端部（図１中の左右の外側端部）には、衣類用ハンガー（図示せず）のフックが滑り落ちないように、滑り落ち防止用突起２９が設けられている。
【００５７】
パイプ継ぎ手２３Ｄ，２４Ｄを介して各内側管部２３Ｂ，２４Ｂに支持された天棒２５は、内側管部２３Ｂ，２４Ｂを外側管部２３Ａ，２４Ａから出没させることで、掛ける衣類等の丈の長さに合わせて、高さを変えることができるようになっている。即ち、丈の長い衣類等を掛ける場合は、内側管部２３Ｂ，２４Ｂを外側管部２３Ａ，２４Ａから延出させて天棒２５を高くする。丈の短い衣類等を掛ける場合は、内側管部２３Ｂ，２４Ｂを外側管部２３Ａ，２４Ａに収納させて天棒２５を低くする。これにより、用途に応じて、天棒２５の高さを適宜設定することができるようになっている。さらに、丈の短い衣類等に合わせる場合もある。小枠体部２６の上側に丈の短い衣類等を掛ける場合は、小枠体部２６と天棒２５との間隔を丈の短い衣類等に合わせて、天棒２５の高さを適宜設定する。
【００５８】
小枠体部２６は、丈の短い衣類等を掛ける空間を形成するための部材である。小枠体部２６は、パイプハンガー２１の下側の角に設けられている。小枠体部２６は、垂直管部３１と、水平管部３２と、パイプ継ぎ手２２Ｄ，３３，３４とから構成されて、基台部２２の連接棒部２２Ｂと１の支柱２４の外側管部２４Ａとに取り付けられている。
【００５９】
垂直管部３１は、丈の短い衣類等に寸法に合わせた長さに適宜設定される。水平管部３２は、掛けたい衣類等の枚数に合わせた長さに適宜設定される。各パイプ継ぎ手２２Ｄ，３３，３４は、基台部２２の連接棒部２２Ｂと垂直管部３１、垂直管部３１と水平管部３２、及び水平管部３２と支柱２４の外側管部２４Ａを互いに連結している。パイプ継ぎ手３３は、上記パイプ継ぎ手２３Ｄ，２４Ｄと同様である。パイプ継ぎ手３４は、外側管部２４Ａの上端部に設けられ、上記パイプ継ぎ手２２Ｄとほぼ同様の構成を有している。このパイプ継ぎ手２２Ｄ，３３，３４によって垂直管部３１、水平管部３２等を連結することで、小枠体部２６に十分な強度を持たせると共に組み立てを容易にしている。
【００６０】
以上のように構成されたパイプハンガー２１は、次のようにして使用される。
【００６１】
小枠体部２６には丈の短い衣類等が掛けられる。小枠体部２６の上部に衣類等を掛けない場合は、天棒２５を小枠体部２６の水平管部３２の位置なで下げて、パイプハンガー２１を小さくしておく。
【００６２】
小枠体部２６の上部にも衣類等を掛ける場合又は丈の長い衣類等を掛ける場合は、支柱２３，２４を伸張させて天棒２５を高い位置に設ける。これにより、天棒２５のうち小枠体部２６の上部には、丈の短い衣類等が掛けられる。他の部分には丈の長い衣類等を掛ける。このとき、天棒２５は、小枠体部２６によって仕切られていないので、衣類等を掛けるスペースが制限されることがなくなる。
【００６３】
丈の長い衣類等を掛ける場合は、その衣類等が衣類用ハンガーに掛けられた状態でこの衣類用ハンガーが天棒２５に掛けられる。このとき、衣類等の下端部は支柱２３の外側管部２３Ａと小枠体部２６の垂直管部３１との間に位置する。そして、通常、衣類等自体の部分よりも衣類用ハンガーの部分の方が厚いので、多数の衣類用ハンガーが天棒２５に掛けられると、衣類用ハンガーはその厚みのために小枠体部２６の上部にまではみ出してしまう。しかし、衣類等自体は支柱２３の外側管部２３Ａと小枠体部２６の垂直管部３１との間に無理なく納まる。これにより、衣類用ハンガーの厚さに左右されず、衣類等を掛けることができる。支柱２３の外側管部２３Ａと小枠体部２６の垂直管部３１との間に入る衣類等自体の枚数まで掛けることができる。
【００６４】
以上により、パイプハンガー２１の中央部分を仕切るものがなくなって自由度が増し、衣類等の丈の違いや掛ける枚数に柔軟に対応して、収納効率を高めることができるようになる。
【００６５】
［変形例］
（１）  上記実施形態では、小枠体部２６をパイプハンガー２１の下部の一方（図１中の右側）に設けたが、他方に設けてもよい。さらに、小枠体部２６をパイプハンガー２１の上部に設けてもよい。この場合は、図５に示すように、垂直管部３１と水平管部３２とが、天棒２５と１の支柱２４とに取り付けられる。各垂直管部３１、水平管部３２等の間は、パイプ継ぎ手２２Ｄ，３３，３４によって接続される。特に、パイプ継ぎ手２２Ｄは、天棒２５に取り付けられることになる。
【００６６】
これにより、垂直管部３１と支柱２４との間の天棒２５に衣類用ハンガーを掛けることで、小枠体部２６に丈の短い衣類等が掛けられる。さらに、水平管部３２に衣類用ハンガーを掛けることで、小枠体部２６の下部に丈の短い衣類等が掛けられる。このとき、小枠体部２６は、天棒２５につり下げる状態で設けられるので、丈の短い衣類等を目線の高さに掛けることができ、衣類等の認識、選択が容易になる。
【００６７】
また、垂直管部３１と支柱２３との間の天棒２５に衣類用ハンガーを掛けることで、丈の長い衣類等が掛けられる。これにより、上部よりも下部の方が厚い衣類等（例えば、フリル等の装飾が多数付いたフレアースカート等）を多数掛けることができる。この場合は、小枠体部２６の下側で衣類等の厚みを吸収する。即ち、天棒２５に衣類等を多数掛けた状態で、上部では小枠体部２６と支柱２３との間にまだ余裕があって、下部では衣類等の厚さが小枠体部２６と支柱２３との間隔よりも厚くなった場合は、衣類等は小枠体部２６の下側へはみ出して、その衣類等の厚みが吸収される。これにより、中央部分の仕切りで制限されずに多数の衣類等を掛けることができる。
【００６８】
また、小枠体部２６の輪郭を構成する天棒２５と垂直管部３１、垂直管部３１と水平管部３２及び水平管部３２と支柱２４をパイプ継ぎ手２２Ｄ，３３，３４で互いに連結することで、小枠体部２６に十分な強度を持たせることができると共に、組み立てが容易になる。
【００６９】
この場合も、上記実施形態と同様の作用、効果を奏することができる。
【００７０】
（２）  上記実施形態では、小枠体部２６の垂直管部３１及び水平管部３２を伸縮しない棒材で構成したが、垂直管部又は水平管部の一方又は両方を伸縮自在に構成してもよい。これにより、掛ける衣類等の枚数や丈に合わせて垂直管部又は水平管部の一方又は両方を伸縮させ、小枠体部の大きさを適宜調整する。このとき、パイプ継ぎ手２２Ｄ，３４は、垂直管部又は水平管部の伸縮に応じて移動させることになる。
【００７１】
この場合も、上記実施形態と同様の作用、効果を奏することができる。
【００７２】
（３）  上記実施形態では、小枠体部２６の垂直管部３１及び水平管部３２を伸縮しない棒材で構成したが、垂直管部及び水平管部として長さの異なる複数の管材を用いてもよい。この場合は、垂直管部及び水平管部として長さの異なる複数の管材を予め用意し、掛ける衣類等の枚数及び丈に合わせた長さの管材を適宜選択して小枠体部２６を構成することになる。これにより、掛ける衣類等の枚数及び丈に応じて最適寸法の小枠体部を構成することができる。
【００７３】
この場合も、上記実施形態と同様の作用、効果を奏することができる。
【００７４】
（４）  上記実施形態では、基台部２２及び天棒２５を伸縮しない棒材で構成したが、基台部及び天棒を伸縮自在に構成してもよい。これにより、掛ける衣類等の枚数に応じて基台部及び天棒を伸縮させることで、掛ける衣類等の枚数に応じて最適な幅のパイプハンガーにすることができる。
【００７５】
この場合も、上記実施形態と同様の作用、効果を奏することができる。
【図面の簡単な説明】
【００７６】
【図１】本考案の実施形態に係るパイプハンガーを示す正面図である。
【図２】従来のパイプハンガーを示す正面図である。
【図３】従来のパイプハンガーを示す斜視図である。
【図４】本考案の実施形態に係るパイプハンガーを示す側面図である。
【図５】変形例に係るパイプハンガーを示す正面図である。
【符号の説明】
【００７７】
２１：パイプハンガー、２２：基台部、２２Ａ：支持棒部、２２Ｂ：連接棒部、２２Ｃ：キャスター、２２Ｄ：パイプ継ぎ手、２３，２４：支柱、２３Ａ，２４Ａ：外側管部、２３Ｂ，２４Ｂ：内側管部、２３Ｃ，２４Ｃ：固定手段、２３Ｄ，２４Ｄ：パイプ継ぎ手、２３Ｅ，２４Ｅ：支持筒、２３Ｆ，２４Ｆ：蝶ねじ、２５：天棒、２６：小枠体部、２７：水平筒部、２８：垂直筒部、２９：滑り落ち防止用突起、３１：垂直管部、３２：水平管部、３３，３４：パイプ継ぎ手。
【図１】
0003100766.tif 000003
【図２】
0003100766.tif 000004
【図３】
0003100766.tif 000005
【図４】
0003100766.tif 000006
【図５】
0003100766.tif 000007